(57)【要約】【課題】  カメラに出力する制御信号を安定化させる。【解決手段】  カメラ１２を制御するための制御信号を、増幅器２５Ａ，２５Ｂで増幅してカメラ１２に出力するカメラ制御装置において、増幅器２５Ａ，２５Ｂの温度変化あるいは増幅器２５Ａ，２５Ｂの周辺の温度変化に対して、増幅器２５Ｂより出力される制御信号のレベルが略一定となるように、増幅器２５Ｂの増幅率を調整する温度補正器３２を備えた。【選択図】      図２
2005318045.tif 000002
【特許請求の範囲】
【請求項１】
カメラを制御するための制御信号を、増幅器で増幅して前記カメラに出力するカメラ制御装置において、
前記増幅器の温度変化あるいは前記増幅器の周辺の温度変化に対して、前記増幅器より出力される制御信号のレベルが略一定となるように、前記増幅器の増幅率を調整する増幅率調整手段を備えたことを特徴とするカメラ制御装置。
【請求項２】
請求項１に記載のカメラ制御装置において、
前記カメラに複数の機能を実行させる場合、各機能毎に異なる周波数の制御信号を生成し、前記各機能毎の制御信号を合成して前記増幅器に出力する信号生成手段と、
前記カメラに実行させる機能の数に応じて前記増幅器の増幅率を変更する増幅率変更手段と、を備えたことを特徴とするカメラ制御装置。
【請求項３】
カメラを制御するための制御信号を、増幅器で増幅して前記カメラに出力するカメラ制御装置において、
前記カメラに複数の機能を実行させる場合、各機能毎に異なる周波数の制御信号を生成し、前記各機能毎の制御信号を合成して前記増幅器に出力する信号生成手段と、
前記カメラに実行させる機能の数に応じて前記増幅器の増幅率を変更する増幅率変更手段と、を備えたことを特徴とするカメラ制御装置。
【請求項４】
請求項１又は請求項２に記載のカメラ制御装置において、
前記増幅率調整手段は、
前記増幅器の入力端子とグランド端子との間に設けられ、温度上昇に対して電気抵抗値が低下する温度抵抗手段を備えたことを特徴とするカメラ制御装置。
【請求項５】
請求項４に記載のカメラ制御装置において、
前記温度抵抗手段は、サーミスタであることを特徴とするカメラ制御装置。
【請求項６】
請求項２又は請求項３に記載のカメラ制御装置において、
前記増幅率変更手段は、
前記カメラに複数の機能を実行させる際に、前記カメラに１つの機能のみを実行させる場合よりも前記増幅器の増幅率を大きくするように変更することを特徴とするカメラ制御装置。
【請求項７】
請求項６に記載のカメラ制御装置において、
前記増幅率変更手段は、
前記増幅器の入力端子とグランド端子との間に設けられ、電気抵抗値を変更自在とする抵抗値変更手段を備え、
この抵抗値変更手段は、
前記増幅器の増幅率を大きくする際に、電気抵抗値が大きくなるように変更することを特徴とするカメラ制御装置。
【請求項８】
請求項１乃至請求項７のいずれか一項に記載のカメラ制御装置において、
前記制御信号をカメラ電源に重畳し、前記カメラに、１つのケーブルを介して給電するとともに当該ケーブルを介して前記制御信号を出力することを特徴とするカメラ制御装置。
【発明の詳細な説明】
【技術分野】
【０００１】
制御信号をカメラに出力してカメラを制御するカメラ制御装置に関する。
【背景技術】
【０００２】
一般に、制御信号を、増幅器で増幅してカメラに出力し、このカメラに、当該制御信号に対応する機能（例えば、アイリス機能等）を実行させるカメラ制御装置が知られている（例えば、特許文献１参照）。この種のカメラは、例えば、車両に取り付けられ、このカメラを制御するカメラ制御装置は、車両に搭載されるものである。
【特許文献１】特開平８−２０５０３７号公報
【発明の開示】
【発明が解決しようとする課題】
【０００３】
しかしながら、上記カメラ制御装置は、車両等の温度変化が激しい環境下に設置されると、温度変化に対して増幅器の増幅率が変動してしまい、カメラに出力される制御信号のレベルが不安定となってしまうという問題があった。
【０００４】
また、上記カメラ制御装置では、カメラに複数の機能を同時に実行させるべく、複数の制御信号を合成してカメラに出力する場合、制御信号同士の干渉により、互いの制御信号を打ち消し合い、制御信号のレベルが不安定になるという問題があった。
【０００５】
そこで、本発明の目的は、上述した従来の技術が有する課題を解消し、カメラに出力する制御信号が安定化するカメラ制御装置を提供することにある。
【課題を解決するための手段】
【０００６】
上記課題を解決するため、本発明は、カメラを制御するための制御信号を、増幅器で増幅して前記カメラに出力するカメラ制御装置において、前記増幅器の温度変化あるいは前記増幅器の周辺の温度変化に対して、前記増幅器より出力される制御信号のレベルが略一定となるように、前記増幅器の増幅率を調整する増幅率調整手段を備えたことを特徴とするものである。
【０００７】
このカメラ制御装置において、前記カメラに複数の機能を実行させる場合、各機能毎に異なる周波数の制御信号を生成し、前記各機能毎の制御信号を合成して前記増幅器に出力する信号生成手段と、前記カメラに実行させる機能の数に応じて前記増幅器の増幅率を変更する増幅率変更手段と、を備えてもよい。
【０００８】
また、カメラを制御するための制御信号を、増幅器で増幅して前記カメラに出力するカメラ制御装置において、前記カメラに複数の機能を実行させる場合、各機能毎に異なる周波数の制御信号を生成し、前記各機能毎の制御信号を合成して前記増幅器に出力する信号生成手段と、前記カメラに実行させる機能の数に応じて前記増幅器の増幅率を変更する増幅率変更手段と、を備えたことを特徴とするものである。
【０００９】
また、上記カメラ制御装置において、前記増幅率調整手段は、前記増幅器の入力端子とグランド端子との間に設けられ、温度上昇に対して電気抵抗値が低下する温度抵抗手段を備えてもよい。
【００１０】
更に、上記カメラ制御装置において、前記温度抵抗手段は、サーミスタであってもよい。
【００１１】
更にまた、カメラ制御装置において、前記増幅率変更手段は、前記カメラに複数の機能を実行させる際に、前記カメラに１つの機能のみを実行させる場合よりも前記増幅器の増幅率を大きくするように変更してもよい。
【００１２】
また、上記カメラ制御装置において、前記増幅率変更手段は、前記増幅器の入力端子とグランド端子との間に設けられ、電気抵抗値を変更自在とする抵抗値変更手段を備え、この抵抗値変更手段は、前記増幅器の増幅率を大きくする際に、電気抵抗値が大きくなるように変更するようにしてもよい。
【００１３】
更に、上記カメラ制御装置において、前記制御信号をカメラ電源に重畳し、前記カメラに、１つのケーブルを介して給電するとともに当該ケーブルを介して前記制御信号を出力するようにしてもよい。
【発明の効果】
【００１４】
本発明によれば、カメラに出力する制御信号が安定化する。
【発明を実施するための最良の形態】
【００１５】
以下、本発明の実施形態について図面を参照して説明する。
【００１６】
［１］第１実施形態
図１は、本第１実施形態におけるカメラ制御装置１０を搭載した車両を示す説明図である。また、図２は、本第１実施形態におけるカメラ制御装置１０の電気的構成の概略を示すブロック図である。
【００１７】
図１に示すように、カメラ制御装置１０は、車両１に搭載され、このカメラ制御装置１０には、１本の同軸ケーブル（ケーブル）１１ａにより、カメラ１２が接続されている。このカメラ１２は、例えば車両１の後部に取付けられており、車両１の後方の映像を撮影するものである。更に、カメラ制御装置１０には、同軸ケーブル（ケーブル）１１ｂによりモニタ１３が接続されている。このモニタ１３は、カメラ１２により撮像された映像を表示するものであり、車両１内に設けられている。
【００１８】
このカメラ１２は、撮像素子として不図示のＣＣＤ（Charge Coupled Device）を備えており、ＣＣＤを用いて車両１周辺を撮影して映像信号を生成し、この映像信号を所定周波数の搬送波で変調して高周波映像信号を生成し、この高周波映像信号を、同軸ケーブル１１ａを介してカメラ制御装置１０に出力する。
【００１９】
カメラ制御装置１０は、入力した高周波映像信号を映像信号に復調し、モニタ１３に出力する。この映像信号を入力したモニタ１３は、入力した映像信号に基いて映像を表示する。カメラ１２は、電源重畳方式に対応したカメラであり、同軸ケーブル１１ａを介して直流電力が供給される。
【００２０】
カメラ制御装置１０は、図２に示すように、同軸ケーブル１１ａを介してカメラ１２に直流電力を供給するための直流電源としての電源部（カメラ電源）２１を備えている。更に、カメラ１２は、ズーム機能及びアイリス機能等の複数の機能を備えており、カメラ制御装置１０は、カメラ１２に各機能を実行させるべく、カメラ１２の機能に対応した制御信号を、同軸ケーブル１１ａを介してカメラ１２に出力するものである。つまり、１本の同軸ケーブル１１ａを介して、カメラ１２が電源部２１によって給電されるとともに、制御信号が電源部２１の直流電圧に重畳してカメラ１２に出力される。更に、この１本の同軸ケーブル１１ａを介して、カメラ１２により高周波映像信号がカメラ制御装置１０に出力される。
【００２１】
本第１実施形態では、カメラ制御装置１０は、カメラ１２の複数の機能のうち、いずれかの機能を選択する操作部２２を備えている。この操作部２２は、例えば１つの押しボタンスイッチであり、マイクロコンピュータ（以下、「マイコン」という）２３に接続されている。このマイコン２３は、ユーザによる操作部２２の操作に応じてどの機能が選択されたかを判断する。具体的には、マイコン２３は、操作部２２としての押しボタンスイッチが押下されたか否かを判断する。そして、マイコン２３は、操作部２２が押下されたと判断した場合は、所定時間（例えば、１秒間）以上操作部２２が押下されたか否か（つまり、長押しされたか否か）を判断する。マイコン２３は、操作部２２が長押しされたと判断した場合は、操作部２２によりアイリス機能が選択されたと判断し、長押しされていない場合（つまり、操作部２２が所定時間未満押下される短押しの場合）は、操作部２２によりズーム機能が選択されたと判断する。
【００２２】
次に、マイコン２３は、選択された機能に応じた制御信号を生成し、合成器２４に出力する。
【００２３】
具体的には、マイコン２３は、アイリス機能が選択された場合、アイリス機能に応じた制御信号を生成し、合成器２４に出力する。また、マイコン２３は、ズーム機能が選択された場合、ズーム機能に応じた制御信号を生成し、合成器２４に出力する。また、マイコン２３は、アイリス機能が選択された後にズーム機能が選択された場合やズーム機能が選択された後にアイリス機能が選択された場合等、複数の機能が選択された場合、選択された複数の機能としてのアイリス機能及びズーム機能のそれぞれに応じた制御信号を生成し、合成器２４に出力する。ここで、各機能に対応して生成される制御信号は、各機能毎に異なる周波数の正弦波である。ここで、アイリス機能に応じた制御信号をアイリス信号といい、ズーム機能に応じた制御信号をズーム信号といい、各制御信号を合成した信号を合成信号というものとする。
【００２４】
図３は、合成器２４が入力するアイリス信号を示す電圧波形図であり、図４は、合成器２４が入力するズーム信号を示す電圧波形図であり、図５は、合成器２４が出力する合成信号を示す電圧波形図である。
【００２５】
図３に示すアイリス信号Ｘは、例えば、１０［ＫＨｚ］の正弦波であり、図４に示すズーム信号Ｙは、例えば、２３．７［ＫＨｚ］の正弦波である。そして、マイコン２３から出力される各制御信号の電圧の最大値は、互いに同一の電圧値Ｖｍであるものとする。
【００２６】
各機能に対応した制御信号は、上述した高周波映像信号における所定周波数とは異なる周波数の正弦波である。これによって、高周波映像信号と各制御信号との間の干渉が抑制されるので、カメラ１２とカメラ制御装置１０間の同軸ケーブル１１ａをより長く設定しても、高周波映像信号のレベルや制御信号のレベルの変動を抑制することができる。
【００２７】
合成器２４（図２）は、１つの機能に対応した制御信号のみを入力した場合、つまり、アイリス信号のみあるいはズーム信号のみを入力した場合は、そのまま制御信号を増幅器２５に出力する。また、合成器２４は、カメラ１２に複数の機能を実行させる際に各機能に対応した制御信号を入力した場合、つまり、アイリス信号及びズーム信号を入力した場合は、図５に示すように、これら制御信号を合成して合成信号Ｚを増幅器２５に出力する。具体的には、合成器２４は、制御信号同士を足し合わせて出力する。従って、合成器２４より出力される合成信号Ｚの電圧の最大値は、電圧値Ｖｍの２倍の電圧値である。
【００２８】
図２を参照し、増幅器２５は、入力した制御信号を増幅して、電源部２１が接続されている同軸ケーブル１１ａに、増幅した制御信号を出力する。これによって制御信号は、直流電源に重畳され同軸ケーブル１１ａを介してカメラ１２に出力される。
【００２９】
カメラ１２において実行している機能を停止させる場合、マイコン２３は、停止させる機能に対応する制御信号の出力を停止する。具体的に説明すると、ユーザによりカメラ１２において実行している機能を停止させるように操作部２２が操作された場合、マイコン２３は、停止させる機能に対応する制御信号の出力を停止する。例えば、カメラ１２にアイリス機能を実行させるべく、マイコン２３がアイリス信号を出力している際に、ユーザにより操作部２２としての押しボタンスイッチが長押しされた場合、マイコン２３は、カメラ１２のアイリス機能を解除する操作がなされたものと判断し、アイリス信号の出力を停止する。また、カメラ１２にズーム機能を実行させるべく、マイコン２３がズーム信号を出力している際に、ユーザにより操作部２２としての押しボタンスイッチが短押しされた場合、マイコン２３は、カメラ１２のズーム機能を解除する操作がなされたものと判断し、ズーム信号の出力を停止する。
【００３０】
従って、操作部２２においてカメラ１２に各機能を実行させる操作と同様の操作をユーザが行うことにより、各機能を解除することができる。
【００３１】
増幅器２５は、複数（例えば、２つ）の増幅器を備えて構成されている。具体的に説明すると、増幅器２５は、第１増幅器２５Ａと第２増幅器２５Ｂとを備え、第１増幅器２５Ａの入力端子が合成器２４に電気的に接続されており、第１増幅器２５Ａの出力端子が第２増幅器２５Ｂの入力端子に電気的に接続されている。また、第２増幅器２５Ｂの出力端子が同軸ケーブル１１ａに電気的に接続されている。
【００３２】
本第１実施形態では、第１増幅器２５Ａは、入力した制御信号の電圧を増幅する増幅器であり、第２増幅器２５Ｂは、入力した制御信号の電圧及び電流を増幅する増幅器である。そして、各増幅器２５Ａ，２５Ｂは、それぞれ１つのＩＣで構成されている。
【００３３】
ここで、第１増幅器２５Ａ及び第２増幅器２５Ｂのそれぞれは、各増幅器２５Ａ，２５Ｂの入力端子とグランド端子との間に電気的に接続される抵抗器の電気抵抗値に応じてその増幅器２５Ａ，２５Ｂの増幅率が変化するように設定されている。具体的に説明すると、第１増幅器２５Ａ及び第２増幅器２５Ｂのそれぞれは、各増幅器２５Ａ，２５Ｂの入力端子に電気的に接続される抵抗器の電気抵抗値が大きくなるほど、その増幅器２５Ａ，２５Ｂの増幅率が大きくなり、各増幅器２５Ａ，２５Ｂの入力端子に電気的に接続される抵抗器の電気抵抗値が小さくなるほど、その増幅器２５Ａ，２５Ｂの増幅率が小さくなる。例えば、各増幅器２５Ａ，２５Ｂの入力端子に接続される抵抗器の電気抵抗値が、各増幅器２５Ａ，２５Ｂの増幅率となるように、各増幅器２５Ａ，２５Ｂが設定されている。
【００３４】
ところで、カメラ１２に複数（本第１実施形態では、２つ）の機能を実行させる場合、マイコン２３は、各機能に対応する制御信号を合成器２４に出力し、合成器２４は、各機能に対応した制御信号を合成して第１増幅器２５Ａに合成信号を出力することとなるが、制御信号を合成することにより、互いの制御信号同士で打ち消し合って合成器２４より出力される合成信号のレベルが劣化してしまう。具体的に説明すると、図５に示すように、合成器２４により出力される合成信号Ｚのピーク値Ｖ１〜Ｖ５（極大値）が合成する前の各制御信号の最大の電圧値Ｖｍよりも低下する場合が生じる。
【００３５】
また、第１増幅器２５Ａ及び第２増幅器２５Ｂの増幅率は、温度変化に対して変化するものである。具体的に説明すると、第１増幅器２５Ａ及び第２増幅器２５Ｂのそれぞれの増幅率は、その増幅器２５Ａ，２５Ｂの温度あるいはその周辺の温度が高くなるほど、大きくなり、その増幅器２５Ａ，２５Ｂの温度あるいはその周辺の温度が低くなるほど、小さくなるものである。
【００３６】
本第１実施形態では、カメラ制御装置１０は、第１増幅器２５Ａの増幅率を、カメラ１２に実行させる機能の数に応じて変更する増幅補正器（増幅率変更手段）３１と、第２増幅器２５Ｂの増幅率を、増幅器２５周辺の温度変化に対して、増幅器２５より出力される制御信号（つまり、第２増幅器２５Ｂより出力される制御信号）が略一定になるように調整する温度補正器（増幅率調整手段）３２とを備えている。
【００３７】
図６は、増幅補正器３１の電気的構成を示すブロック図である。
【００３８】
具体的に説明すると、増幅補正器３１は、カメラ１２にアイリス機能及びズーム機能の２つの機能を実行させる際に、カメラ１２に１つの機能のみを実行させる場合よりも第１増幅器２５Ａの増幅率を大きくするように変更するものである。
【００３９】
この増幅補正器３１は、当該増幅補正器３１の電気抵抗値を変更自在とするものであり、第１増幅器２５Ａの入力端子とグランド端子との間に接続される。つまり、この増幅補正器３１は、一端が第１増幅器２５Ａの入力端子に接続される第１固定抵抗器４１と、この第１固定抵抗器４１の他端に接続されるスイッチ４４と、このスイッチ４４に一端が接続され、スイッチ４４の切り換えにより第１固定抵抗器４１に選択的に接続される複数（例えば、２つ）の固定抵抗器（第２固定抵抗器４２及び第３固定抵抗器４３）とを備えて構成される。即ち、第２固定抵抗器４２及び第３固定抵抗器４３のうち、いずれか一方が、スイッチ４４の切り換えにより、第１固定抵抗器４１に直列に接続されることとなる。これら第２固定抵抗器４２及び第３固定抵抗器４３の電気抵抗値は、互いに異なるように設定されている。例えば、第３固定抵抗器４３の電気抵抗値は、第２固定抵抗器４２の電気抵抗値よりも高く設定されているものとする。なお、第２固定抵抗器４２及び第３固定抵抗器４３の他端は、グランド端子に接続されている。従って、スイッチ４４を切り換えることにより、第１増幅器２５Ａの入力端子とグランド端子との間の電気抵抗値を変更することができ、第１増幅器２５Ａの増幅率を変更させることができる。
【００４０】
また、スイッチ４４は、マイコン２３により切換制御される。具体的に説明すると、スイッチ４４は、マイコン２３より増幅切換信号を入力している場合は、第１固定抵抗器４１と第３固定抵抗器４３とを接続するように切り換えられ、マイコン２３より増幅切換信号を入力していない場合は、第１固定抵抗器４１と第２固定抵抗器４２とを接続するように切り換えられる。
【００４１】
本第１実施形態では、増幅補正器３１によりカメラ１２に実行させる機能の数に応じて第１増幅器２５Ａの増幅率を変更するものである。具体的に説明すると、マイコン２３は、増幅補正器３１のスイッチ４４に増幅切換信号を出力し、第２固定抵抗器４２よりも抵抗値の大きい第３固定抵抗器４３を第１固定抵抗器４１に接続するように、スイッチを切り換える制御を行う。
【００４２】
これによって、第１増幅器２５Ａの入力端子とグランド端子との間に接続される増幅補正器３１の電気抵抗値が大きくなるように切り換えられる。つまり、第１増幅器２５Ａの増幅率は、入力端子に接続される増幅補正器３１の電気抵抗値によって決まるものであるので、第１増幅器２５Ａの増幅率が大きくなるように変更されることとなる。これによって、互いの制御信号同士でレベル劣化した合成信号が１つの制御信号のみの場合よりも大きい増幅率の第１増幅器２５Ａで増幅されるので、第１増幅器２５Ａより出力される合成信号のレベルが、１つの制御信号のみ（例えば、アイリス信号のみ、又はズーム信号のみ）の場合よりも大きくなる。従って、カメラ１２において良好に各制御信号を検出することができ、カメラ１２の誤動作を抑制することができる。
【００４３】
また、カメラ１２に複数（本第１実施形態では、２つ）の機能のうち、いずれか１つの機能（アイリス機能あるいはズーム機能）を実行させる場合、マイコン２３は、対応する制御信号を合成器２４を介して第１増幅器２５Ａに出力する。この場合、マイコン２３は、増幅切換信号の出力を停止し、第３固定抵抗器４３よりも電気抵抗値の小さい第２固定抵抗器４２を第１固定抵抗器４１に接続するように、スイッチ４４を切り換える制御を行う。
【００４４】
図７は、温度補正器３２の電気的構成を示すブロック図である。
【００４５】
温度補正器３２は、図７に示すように、第２増幅器２５Ｂの入力端子とグランド端子との間に設けられ、温度上昇に対して電気抵抗値が低下する温度抵抗手段としてのサーミスタ５１を備えている。具体的に説明すると、温度補正器３２は、サーミスタ５１及びこのサーミスタ５１に直列接続される固定抵抗器５２を備え、これらサーミスタ５１及び固定抵抗器５２が第２増幅器２５Ｂの入力端子とグランド端子との間が接続されて構成されている。
【００４６】
このサーミスタ５１は、当該サーミスタ５１の温度が高くなるほど、その電気抵抗値が低下するものであり、サーミスタ５１の温度が低くなるほど、その電気抵抗値は上昇するものである。従って、温度補正器３２の電気抵抗値（つまり、サーミスタ５１と固定抵抗器５２の合成の電気抵抗値）は、当該サーミスタ５１の温度が高くなるほど、その電気抵抗値が低下するものであり、サーミスタ５１の温度が低くなるほど、その電気抵抗値は上昇するものである。
【００４７】
つまり、第１及び第２増幅器２５Ａ，２５Ｂは、増幅器２５の周辺の温度上昇に伴って増幅率が上昇する方向に変化しようとするが、第２増幅器２５Ｂの入力端子に、当該第２増幅器２５Ｂの周辺の温度上昇に伴って電気抵抗値が低下する温度補正器３２（つまり、サーミスタ５１）が接続されているので、温度上昇による第１増幅器２５Ａ及び第２増幅器２５Ｂの増幅率の上昇と、温度補正器３２による第２増幅器２５Ｂの増幅率の低下とでキャンセルし合い、温度変化に対して第１増幅器２５Ａ及び第２増幅器２５Ｂの合計の増幅率が略一定に調整されることとなる。ここで、固定抵抗器５２の電気抵抗値は、第２増幅器２５Ｂより出力される制御信号が略一定となるよう適正な値に設定されている。
【００４８】
これにより本第１実施形態では、温度補正器３２は、第２増幅器２５Ｂにより出力される制御信号のレベルを、温度変化に対してほとんど変動することなく略一定にすることができる。従って、カメラ１２に出力される制御信号のレベルを安定させることができる。また、制御信号のレベルを安定させることができるので、カメラ１２に出力される制御信号のレベルが、カメラ１２の入力信号範囲（規格）を超えて大きくなることがないので、カメラ１２を安定して動作させることができる。
【００４９】
また、本第１実施形態では、簡単な回路構成の増幅補正器３１及び温度補正器３２を設けるだけでよいので、回路変更が容易であり、カメラ制御装置１０の筐体を変更する必要がないので、コストアップを抑制することができる。
【００５０】
また、本第１実施形態では、マイコン２３に増幅補正器３１のスイッチを制御させるために、マイコン２３の制御プログラムを変更するだけでよいので、コストアップを抑制することができる。
【００５１】
［２］第２実施形態
本第２実施形態において、上記第１実施形態と異なるのは、増幅率調整手段としての温度補正器１３２が、増幅補正器１３１に設けられている点である。図８は、第２実施形態における増幅補正器１３１の電気的構成を示すブロック図である。以下、この第２実施形態において、上記第１実施形態と同様な部分は、同一の符号を付すことにより説明を省略する。
【００５２】
図８に示すカメラ制御装置１００おいて、第１実施形態のカメラ制御装置１０と異なるのは、図６の第１固定抵抗器４１の代わりに、温度補正器１３２を設けた点である。ここで、この温度補正器１３２は、上記第１実施形態における温度補正器３２と略同様の構成であり、図７の固定抵抗器５２に相当する固定抵抗器（不図示）の電気抵抗値は、増幅器２５（つまり、第１増幅器２５Ａ）の増幅率が適正となるように設定されているものである。更に、第２固定抵抗器１４２及び第３固定抵抗器１４３の電気抵抗値も、第１増幅器２５Ａの増幅率が適正となるように設定されているものである。なお、本第２実施形態において、温度補正器１３２の不図示の固定抵抗器は、省略可能であり、この場合、第２固定抵抗器１４２及び第３固定抵抗器１４３の電気抵抗値は、第１増幅器２５Ａの増幅率が適正となるように設定されるものである。
【００５３】
つまり、本第２実施形態では、温度補正器１３２は、温度変化に対して、増幅器２５より出力される制御信号（即ち、第２増幅器２５Ｂより出力される制御信号）のレベルが略一定となるように、第１増幅器２５Ａの増幅率を調整しているものである。更に、カメラ１２に実行させる機能の数に応じて第１増幅器２５Ａの増幅率を変更すべく、スイッチ４４をマイコン２３によって上記第１実施形態と同様に切り換え制御するものである。
【００５４】
以上、本第２実施形態においても、上記第１実施形態と同様に、カメラ１２に出力する制御信号が安定化するという効果を奏するものである。
【００５５】
以上、一実施形態に基いて本発明を説明したが、本発明は、これに限定されるものではない。
【００５６】
例えば、上記実施形態では、増幅器が、２つの第１増幅器及び第２増幅器を備える場合について説明したが、これに限るものではなく、増幅器が、これら第１増幅器及び第２増幅器の機能を兼ね備える１つの増幅器である場合であってもよい。
【００５７】
また、上記実施形態では、カメラが、複数の機能として、ズーム機能及びアイリス機能の２つの機能を有する場合について説明したが、これに限るものではなく、３つ以上の機能を有する場合であってもよい。この場合、カメラ制御装置のマイコンは、各機能に対応したそれぞれ異なる周波数の制御信号を出力するものである。
【００５８】
また、上記実施形態では、サーミスタが増幅器の周辺に配置され、増幅器の周辺の温度変化に応じて、当該サーミスタの電気抵抗値が変化する場合について説明したが、これに限るものではなく、例えばＩＣとしての増幅器に接触するようにサーミスタを配置し、増幅器の温度変化に応じて、当該サーミスタの電気抵抗値が変化する場合であってもよい。
【図面の簡単な説明】
【００５９】
【図１】本第１実施形態におけるカメラ制御装置を搭載した車両を示す説明図である。
【図２】本第１実施形態におけるカメラ制御装置の電気的構成の概略を示すブロック図である。
【図３】合成器が入力するアイリス信号を示す電圧波形図である。
【図４】合成器が入力するズーム信号を示す電圧波形図である。
【図５】合成器が出力する合成信号を示す電圧波形図である。
【図６】増幅補正器の電気的構成を示すブロック図である。
【図７】温度補正器の電気的構成を示すブロック図である。
【図８】第２実施形態における増幅補正器の電気的構成を示すブロック図である。
【符号の説明】
【００６０】
１  車両
１０，１００  カメラ制御装置
１１ａ，１１ｂ  同軸ケーブル（ケーブル）
１２  カメラ
１３  モニタ
２１  電源部（カメラ電源）
２２  操作部
２３  マイコン（信号生成手段）
２４  合成器（信号生成手段）
２５  増幅器
２５Ａ  第１増幅器
２５Ｂ  第２増幅器
３１，１３１  増幅補正器（増幅率変更手段）
３２，１３２  温度補正器（増幅率調整手段）
４１  第１固定抵抗器
４２，１４２  第２固定抵抗器（抵抗値変更手段）
４３，１４３  第３固定抵抗器（抵抗値変更手段）
４４  スイッチ（抵抗値変更手段）
５１  サーミスタ（温度抵抗手段）
５２  固定抵抗器
【図１】
2005318045.tif 000003
【図２】
2005318045.tif 000004
【図３】
2005318045.tif 000005
【図４】
2005318045.tif 000006
【図５】
2005318045.tif 000007
【図６】
2005318045.tif 000008
【図７】
2005318045.tif 000009
【図８】
2005318045.tif 000010